(57)【特許請求の範囲】
【請求項１】
両端部を所定の範囲で上下動可能に基台部に支持された一辺を支持軸として回動可能な四角形の枠体と、この枠体内に回転可能に保持されて外周面を操作される円柱状操作つまみと、この円柱状操作つまみの一端に連結された可動接点およびこの可動接点と係合するように上記枠体に配設された固定接点からなり、円柱状操作つまみの回転により電気信号を発する回転操作部品部と、上記四角形の枠体の支持軸を支点とする回動により動作するように枠体の支持軸の辺と対向する辺の両端部近傍の下方の基台部に所定の間隔をあけて配設された同一ストローク・同一動作力の二つの自力復帰型の押圧操作部品部と、通常状態において、上記四角形の枠体の支持軸の両端部がその上下動可能範囲の下端にあるように、上記押圧操作部品部の動作力よりも小さい力で支持軸を下方に付勢するばね体とにより構成され、上記円柱状操作つまみの外周上面の両端部近傍の所定の範囲を下方に押圧操作することにより上記各押圧操作部品部を個別に操作できると共に、上記円柱状操作つまみの外周上面の中央の所定の範囲を下方に押圧操作することにより上記二つの押圧操作部品部を同時に操作できる回転・押圧操作型電子部品。
【請求項２】
四角形の枠体の支持軸の両端部を、上記二つの押圧操作部品部を同時に操作できる円柱状操作つまみの外周の範囲と同等以上の間隔で基台部に支持された請求項１記載の回転・押圧操作型電子部品。
【請求項３】
四角形の枠体が、対向する辺の一方を支持軸とするコの字形体とコの字形体の開口部を塞ぐ板状体を組み合せて構成され、板状体に回転操作部品部の固定接点が配された請求項１または２に記載の回転・押圧操作型電子部品。
【請求項４】
円柱状操作つまみの一端と回転操作部品部の可動接点保持体との連結部を側方からの圧入結合、円柱状操作つまみの他端と枠体の保持部との係合を上方からのスナップイン結合として、回転操作部品部を組立後に円柱状操作つまみを着脱可能とした請求項１〜３のいずれか一つに記載の回転・押圧操作型電子部品。
【請求項５】
二つの押圧操作部品部を同時に押圧操作できる範囲を支持するように、円柱状操作つまみの外周面の中間部を両側部よりも窪ませた請求項１〜４のいずれか一つに記載の回転・押圧操作型電子部品。
【請求項６】
円柱状操作つまみの回転操作時に節度感を発生する請求項１〜５のいずれか一つに記載の回転・押圧操作型電子部品。
【請求項７】
回転操作部品部が回転方向により異なる信号を発生する回転型エンコーダで、押圧操作部品部がプッシュオンスイッチである請求項１〜６のいずれか一つに記載の回転・押圧操作型電子部品。
【請求項８】
回転操作部品部が円柱状操作つまみを所定の角度だけ回動させると回動させた方向の接点が動作する回動型スイッチであり、押圧操作部品部がプッシュオンスイッチである請求項１〜６のいずれか一つに記載の回転・押圧操作型電子部品。
【請求項９】
プッシュオンスイッチが基台部上に配された固定接点の上に弾性金属薄板製のドーム状可動接点を配し、その上面を下面に粘着剤を塗布した可撓性フィルムで覆ったものである請求項７または８に記載の回転・押圧操作型電子部品。
【請求項１０】
回転操作部品部の固定接点と一体に形成された金属薄板製の連結板で導通連結された接続用の接点ブロックを有する請求項１〜９のいずれか一つに記載の回転・押圧操作型電子部品。
【請求項１１】
円柱状操作つまみの外周上面と回転操作部品部の活電部の間をシールドするシールド板を使用電子機器のアース回路に接続する接点も接点ブロックに連結させた請求項１０記載の回転・押圧操作型電子部品。
【請求項１２】
接点ブロックが基台部に固定され、基台部下面の押圧操作部品部の接続端子部と共に、使用電子機器の下ケースに保持された配線基板上にはんだ付け接続される請求項１０または１１に記載の回転・押圧操作型電子部品。
【請求項１３】
基台部と使用電子機器の上ケースの間に、位置決め用係合部を設けた請求項１〜１２のいずれか一つに記載の回転・押圧操作型電子部品。
【請求項１４】
円柱状操作つまみの両端を使用電子機器の上ケースと一体に形成したカバーで覆った請求項１〜１３のいずれか一つに記載の回転・押圧操作型電子部品。
【請求項１５】
請求項１〜１４のいずれか一つに記載の回転・押圧操作型電子部品と、この回転・押圧操作型電子部品の円柱状操作つまみの外周上面を押圧操作して一定時間内に二つの押圧操作部品部が操作された時に、どちらの押圧操作部品部が操作された時の電気信号とも異なる電気信号として処理するための時間測定手段を用いたスイッチング認識手段を備えた電子機器。
【請求項１６】
本体表示部に表示された複数の選択項目を所定の配列関係で包含するメニューに対して、回転または回動中心軸が操作面に対して平行な円柱状操作つまみの外周上面に接線方向の力を加え、前方側または手前側に回転または回動操作することにより、上記複数の選択項目を所定の方向に移動させるように第一または第二の電気信号を発生し、かつ上記円柱状操作つまみの外周上面の左側部または右側部の所定の範囲を下方に押圧操作して二つの押圧操作部品部のいずれか一方のみを操作することにより、上記複数の選択項目を上記の移動方向に対して直交する方向に移動させるように第三および第四の電気信号を発生し、また上記円柱状操作つまみの外周上面の中央の所定の範囲を下方に押圧操作して上記二つの押圧操作部品部を同時に操作して、上記移動後の選択項目の決定を行うように第五の電気信号を発生させるようにした請求項１５記載の電子機器。
【発明の詳細な説明】
【０００１】
【発明の属する技術分野】
本発明は主として携帯電話装置等の電子機器に使用され、機器の操作面から露出した円柱操作つまみの先端部を接線方向に回転操作および回転中心に向けて押圧操作する回転・押圧操作型電子部品およびそれを用いた電子機器に関するものである。
【０００２】
【従来の技術】
従来のこの種の回転・押圧操作型電子部品としては、図１９の外観斜視図に示すようなプッシュオンスイッチ付回転型エンコーダ１が知られている。
【０００３】
このプッシュオンスイッチ付回転型エンコーダ１は図１９および図２０の側面断面図に示すように、接点付取付基板２に回転操作部品部としての回転型エンコーダ部３と押圧操作部品部としてのプッシュオンスイッチ部４が配置され、回転型エンコーダ部３は一定の範囲で上下方向（図１９および図２０に示す矢印Ｖ方向）に移動できるように、プッシュオンスイッチ部４は動かないように固定されている。
【０００４】
そして、回転型エンコーダ部３は図１９および図２０に示すように、接点付取付基板２により一定の範囲で上下方向（矢印Ｖ方向）に動きうるように保持されたスライド接点体５とその中央に固定された軸部６により回転可能に保持された回転体７と、この回転体７を回転操作できるように軸部６を介して取り付けられた円形操作つまみ８とにより構成され、スライド接点体５の下端から突出した板ばね９が接点付取付基板２前面のピン状突起１０に弾接することにより、通常状態において回転型エンコーダ部３がプッシュオンスイッチ部４から離れた位置にあるように上方に付勢している。
【０００５】
また、プッシュオンスイッチ部４は図２０に示すように、その操作釦１１が回転型エンコーダ部３の軸部６の後方の押圧部６Ａに当接するように、接点付取付基板２の回転型エンコーダ部３とは反対側の面に固定されている。
【０００６】
このように構成された従来のプッシュオンスイッチ付回転型エンコーダ１の動作は、まず円形操作つまみ８の外周上面８Ａに接線方向（図１９に示す矢印Ｈ方向）の力を加えて円形操作つまみ８を回転させることにより、回転体７が軸部６を中心として回転して回転型エンコーダ部３としての電気信号を発生し、また回転型エンコーダ部３を押し上げている板ばね９の付勢力に逆らって、円形操作つまみ８の外周上面８Ａにその中心に向かう下方向（矢印Ｖ方向）の押し力を加えて回転型エンコーダ部３全体を動かすことにより、軸部６の押圧部６Ａで操作釦１１を押してプッシュオンスイッチ部４を動作させて電気信号を発生させ、円形操作つまみ８に加えていた押し力を除くと、板ばね９の弾性復元力によって回転型エンコーダ部３が押し戻されて元の状態に復帰するものであった。
【０００７】
そして、このプッシュオンスイッチ付回転型エンコーダ１が携帯電話装置１２に使用される場合には、図２１の携帯電話装置の外観斜視図に示すように、別の二回路プッシュオンスイッチ１３と組み合せて使用されることが多い。
【０００８】
この二回路プッシュオンスイッチ１３は図２２の部分断面の正面図に示すように、スイッチ基板１４の上に所定の間隔をあけて配設された二つの自力復帰型のプッシュオンスイッチ１５Ａ，１５Ｂが、スイッチ基板１４中央の支持部１４Ａで回動可能に支持された操作キー１６の上面を押圧操作することにより、それぞれ個別に動作するように構成されたものである。
【０００９】
次に、図２１に示す携帯電話装置１２の使用方法について説明すると、携帯電話装置１２の使用開始時にその操作面１２Ａの液晶表示部１７に複数の機能項目メニューが所定の配列関係で表示された状態において、まずプッシュオンスイッチ付回転型エンコーダ１の円形操作つまみ８の外周上面８Ａの操作面から突出した部分に接線方向の力を加え、前方側または手前側に回転させることにより回転型エンコーダ部３から発せられた信号により、表示画面（図示せず）中の機能項目メニューを希望する項目のある行まで前後方向に移動させ、次に二回路プッシュオンスイッチ１３の操作キー１６の左上面１６Ａまたは右上面１６Ｂを押圧操作してプッシュオンスイッチ１５Ａまたは１５Ｂを動作させることにより、表示画面（図示せず）中の機能項目メニューを目的とする項目のある列まで左右方向に移動させて目的の項目を選択し、例えば“発信”の位置で、今度はプッシュオンスイッチ付回転型エンコーダ１の円形操作つまみ８の外周上面８Ａを押圧操作して決定し、次に液晶表示部１７には複数の発信相手先メニューが所定の配列順序で表示され、再度プッシュオンスイッチ付回転型エンコーダ１の円形操作つまみ８の外周上面８Ａに接線方向の力を加えて前方側または手前側に回転させることにより発信相手先メニューを希望する相手先の位置まで前後方向に移動させて選択し、目的とする相手先の位置で、再度プッシュオンスイッチ付回転型エンコーダ１の円形操作つまみ８の外周上面８Ａを押圧操作して決定し、この後、相手先に対して発呼信号を送るものである。
【００１０】
【発明が解決しようとする課題】
以上のように、従来の回転・押圧操作型電子部品としてのプッシュオンスイッチ付回転型エンコーダ１を二回路プッシュオンスイッチ１３と共に携帯電話装置１２等に使用し、所定の配列関係で包含された複数の選択項目からなるメニューを異なる二方向に移動させて目的の選択項目を選択する場合に、操作する人は、プッシュオンスイッチ１の円形操作つまみ８と二回路プッシュオンスイッチ１３の操作キー１６の間を指を大きく移動させながら操作しなければならないので、操作性が悪いという課題があった。
【００１１】
また、携帯電話装置１２等の小形化された電子機器においては、その操作面１２Ａに機能項目の選択用に二つの電子部品を配することは、操作面の配置設計において不利であるという課題もあった。
【００１２】
本発明は、このような従来の課題を解決するものであり、複数の選択項目を有するメニューの中から所定の選択項目を選択して使用する電子機器において、一つの操作つまみで、複数の選択項目からなるメニューを異なる方向に移動させて、希望する項目を簡単かつ迅速に選択・決定することができる操作性の優れた回転・押圧操作型電子部品を提供することを目的とする。
【００１３】
【課題を解決するための手段】
上記課題を解決するために本発明の回転・押圧操作型電子部品は、所定の範囲で上下動可能に支持された一辺を支持軸として回動可能な四角形の枠体内に回転可能に装着された円柱状操作つまみの一端に連結された可動接点およびこの可動接点と係合するように枠体に配設された固定接点からなり、円柱状操作つまみの回転により電気信号を発する回転操作部品部と、枠体の回動により動作するように枠体の下方に所定の間隔をあけて配設された二つの自力復帰型の押圧操作部品部と、通常状態において、四角形の枠体の支持軸の両端部がその上下動可能範囲の下端にあるように、押圧操作部品部の動作力よりも小さい力で支持軸を下方に付勢するばね体とにより構成され、円柱状操作つまみの外周上面の両端部近傍を押圧操作することにより各押圧操作部品部を個別に操作できると共に、円柱状操作つまみの外周上面の中央を押圧操作することにより二つの押圧操作部品部を同時に操作できるようにするものである。
【００１４】
これにより、複数の選択項目を有するメニューの中から所定の選択項目を選択して使用する電子機器において、一つの操作つまみで、複数の選択項目からなるメニューを二つの異なる方向に移動させて、希望する項目を簡単かつ迅速に選択・決定することができる操作性の優れた回転・押圧操作型電子部品を得ることができる。
【００１５】
【発明の実施の形態】
本発明の請求項１に記載の発明は、両端部を所定の範囲で上下動可能に基台部に支持された一辺を支持軸として回動可能な四角形の枠体と、この枠体内に回転可能に保持されて外周面を操作される円柱状操作つまみと、この円柱状操作つまみの一端に連結された可動接点およびこの可動接点と係合するように上記枠体に配設された固定接点からなり、円柱状操作つまみの回転により電気信号を発する回転操作部品部と、上記四角形の枠体の支持軸を支点とする揺動により動作するように枠体の支持軸の辺と対向する辺の両端部近傍の下方の基台部に所定の間隔をあけて配設された同一ストローク・同一動作力の二つの自力復帰型の押圧操作部品部と、通常状態において、上記四角形の枠体の支持軸の両端部がその上下動可能範囲の下端にあるように、上記押圧操作部品部の動作力よりも小さい力で支持軸を下方に付勢するばね体とにより構成され、上記円柱状操作つまみの外周上面の両端部近傍の所定の範囲を下方に押圧操作することにより上記各押圧操作部品部を個別に操作できると共に、上記円柱状操作つまみの外周上面の中央の所定の範囲を下方に押圧操作することにより上記二つの押圧操作部品部を同時に操作できる回転・押圧操作型電子部品としたものであり、複数の選択項目を有するメニューの中から所定の選択項目を選択して使用する電子機器において、一つの操作つまみで、複数の選択項目からなるメニューを二つの異なる方向に移動させて、希望する項目を簡単かつ迅速に選択・決定することができる操作性の優れた回転・押圧操作型電子部品を実現できるという作用を有する。また、ばね体を付設しているため、四角形の枠体すなわち回転操作部品部のガタツキがなく、良好な操作感触の回転・押圧操作型電子部品を実現できるという作用も有する。
【００１６】
請求項２に記載の発明は、請求項１記載の発明において、四角形の枠体の支持軸の両端部を、上記二つの押圧操作部品部を同時に操作できる円柱状操作つまみの外周の範囲と同等以上の間隔で基台部に支持されたものであり、請求項１に記載の発明による作用に加えて、円柱状操作つまみの外周上面を下方に押圧操作する際の動作が安定し、特に円柱状操作つまみの外周上面の中央の所定の範囲を押圧操作して二つの押圧操作型部品部を確実に同時に動作させることができるという作用を有する。
【００１７】
請求項３に記載の発明は、請求項１または２に記載の発明において、四角形の枠体が、対向する辺の一方を支持軸とするコの字形体とコの字形体の開口部を塞ぐ板状体を組み合せて構成され、板状体に回転操作部品部の固定接点が配されたものであり、回転操作部品部の組立てが容易で、組立時の品質劣化等も少ないという作用を有する。
【００１８】
請求項４に記載の発明は、請求項１〜３のいずれか一つに記載の発明において、円柱状操作つまみの一端と回転操作部品部の可動接点保持体との連結部を側方からの圧入結合、円柱状操作つまみの他端と枠体の保持部との係合を上方からのスナップイン結合として、回転操作部品部を組立後に円柱状操作つまみを着脱可能としたものであり、回転・押圧操作型電子部品を使用電子機器に装着した状態において、操作部として外部に露出する部分である円柱状操作つまみが、回転操作部品部の組立時や取扱い時に汚れたり傷が付いたりする可能性を少なくすることができるという作用を有する。
【００１９】
請求項５に記載の発明は、請求項１〜４のいずれか一つに記載の発明において、二つの押圧操作部品部を同時に押圧操作できる範囲を支持するように、円柱状操作つまみの外周面の中間部を両側部よりも窪ませたものであり、この回転・押圧操作型電子部品を操作する人が、円柱状操作つまみの外周上面の所定の位置を押圧操作して、容易に所定の押圧操作部品部を動作させることができるという作用を有する。
【００２０】
請求項６に記載の発明は、請求項１〜５のいずれか一つに記載の発明において、円柱状操作つまみの回転操作時に節度感を発生するものであり、円柱状操作つまみを回転操作して回転操作型部品部を操作する際に、所定の回転位置で確実に停止させることができると共に、同操作つまみを押して押圧操作型部品部を操作する際に、同操作つまみが回転することを防止できるという作用を有する。
【００２１】
請求項７に記載の発明は、請求項１〜６のいずれか一つに記載の発明において、回転操作部品部が回転方向により異なる信号を発生する回転型エンコーダで、押圧操作部品部がプッシュオンスイッチであるものであり、近年の通信端末機器等に多様化されているマイクロコンピュータ等のデジタル回路に信号を直接入力することができ、機器制御を簡素化できるという作用を有する。
【００２２】
請求項８に記載の発明は、請求項１〜６のいずれか一つに記載の発明において、回転操作部品部が円柱状操作つまみを所定の角度だけ回動させると回動させた方向の接点が動作する回動型スイッチであり、押圧操作部品部がプッシュオンスイッチであるものであり、請求項７に記載の発明によるものと同様の作用に加えて、円柱状操作つまみの形状を円中の下半部を切り取った形状とすることができるので、その下半部の空間を利用して操作部分を小形化することができるという作用を有する。
【００２３】
請求項９に記載の発明は、請求項７または８に記載の発明において、プッシュオンスイッチが基台部上に配された固定接点の上に弾性金属薄板製のドーム状可動接点を配し、その上面を下面に粘着剤を塗布した可撓性フィルムで覆ったものであり、プッシュオンスイッチを、安価で高さ寸法が小さく、しかも防塵性能が優れたものとすることができるという作用を有する。
【００２４】
請求項１０に記載の発明は、請求項１〜９のいずれか一つに記載の発明において、回転操作部品部の固定接点と一体に形成された金属薄板製の連結板で導通連結された接続用の接点ブロックを有するものであり、回転操作部品部の電気信号を使用電子機器の配線基板に伝えるために、摺動接点を有する接触部品を使用しないので、高い接触信頼性が得られると共に、省スペース化が図れるという作用を有する。
【００２５】
請求項１１に記載の発明は、請求項１０記載の発明において、円柱状操作つまみの外周上面と回転操作部品部の活電部の間をシールドするシールド板を使用電子機器のアース回路に接続する接点も接点ブロックに連結させたものであり、シールド端子と回転操作部品部の電気信号を使用電子機器の配線基板に伝えるための接点ブロックを共用することができるので、部品点数を少なくして、小形化を図れるという作用を有する。
【００２６】
請求項１２に記載の発明は、請求項１０または１１記載の発明において、接点ブロックが基台部に固定され、基台部下面の押圧操作部品部の接続端子部と共に、使用電子機器の下ケースに保持された配線基板上にはんだ付け接続されるものであり、回転操作部品部および押圧操作部品部の電気信号を使用電子機器の配線基板に伝える部分に接触部分が全くないので、電気信号を確実に安定して伝達することができるという作用を有する。
【００２７】
請求項１３に記載の発明は、請求項１〜１２のいずれか一つに記載の発明において、基台部と使用電子機器の上ケースの間に、位置決め用係合部を設けたものであり、使用電子機器の上ケースに対して、回転・押圧操作型電子部品を正確な位置に組み合せることができるので、操作部である円柱状操作つまみの位置も正確に決まり、安定した正確な操作ができると共に、使用電子機器の外観もよいという作用を有する。
【００２８】
請求項１４に記載の発明は、請求項１〜１３のいずれか一つに記載の発明において、円柱状操作つまみの両端を使用電子機器の上ケースと一体に形成したカバーで覆ったものであり、使用電子機器内への塵埃等の侵入を防ぐことができると共に、同機器の操作面の見栄えが良くなるという作用を有する。
【００２９】
請求項１５に記載の発明は、請求項１〜１４のいずれか一つに記載の回転・押圧操作型電子部品と、この回転・押圧操作型電子部品の円柱状操作つまみの外周上面を押圧操作して一定時間内に二つの押圧操作部品部が操作された時に、どちらの押圧操作部品部が操作された時の電気信号とも異なる電気信号として処理するための時間測定手段を用いたスイッチング認識手段を備えた電子機器としたものであり、回転・押圧操作型電子部品の円柱状操作つまみの回転操作による二種類の電気信号に加えて、同操作つまみの外周上面を押圧操作する位置を変えることによって三つの電気信号を検知して出力することができる電子機器を実現できるという作用を有する。
【００３０】
請求項１６に記載の発明は、請求項１５記載の発明において、本体表示部に表示された複数の選択項目を所定の配列関係で包含するメニューに対して、回転または回動中心軸が操作面に対して平行な円柱状操作つまみの外周上面に接線方向の力を加え、前方側または手前側に回転または回動操作することにより、上記複数の選択項目を所定の方向に移動させるように第一または第二の電気信号を発生し、かつ上記円柱状操作つまみの外周上面の左側部または右側部の所定の範囲を下方に押圧操作して二つの押圧操作部品部のいずれか一方のみを操作することにより、上記複数の選択項目を上記の移動方向に対して直交する方向に移動させるように第三および第四の電気信号を発生し、また上記円柱状操作つまみの外周上面の中央の所定の範囲を下方に押圧操作して上記二つの押圧操作部品部を同時に操作して、上記移動後の選択項目の決定を行うように第五の電気信号を発生させるようにしたものであり、円柱状操作つまみを回転操作することによる第一または第二の電気信号と、同操作つまみの外周上面の左側部または右側部の押圧操作による第三および第四の電気信号および同操作つまみの外周上面中央の押圧操作による第五の電気信号により、一つの操作つまみで、複数の選択項目からなるメニューを二つの異なる方向に移動させて、希望する項目を簡単かつ迅速に選択・決定して使用することができる操作性の優れた電子機器を実現することができるという作用を有する。
【００３１】
以下、本発明の実施の形態について、図面を用いて説明する。
【００３２】
（実施の形態１）
図１は本発明の第１の実施の形態による回転・押圧操作型電子部品としてのプッシュオンスイッチ付回転型エンコーダの外観斜視図、図２は同分解斜視図、図３は同部分断面の正面図、図４は同部分断面の側面図である。
【００３３】
図１に示すように、このプッシュオンスイッチ付回転型エンコーダ２１は、二つの押圧操作部品部としての単体プッシュオンスイッチ２２Ａ，２２Ｂを有する樹脂製の基台部２３と、この基台部２３に回動可能に支持された四角形の枠体２４と、この枠体２４に回転可能に保持された円柱状操作つまみ２５と、この円柱状操作つまみ２５の一端と四角形の枠体２４の一つの辺である板状体２６の間で構成される回転操作部品部としての回転型エンコーダ部２７（図１には示さず）と、この回転型エンコーダ部２７に連結された接点ブロック２８からなるものである。
【００３４】
そして、上記二つの単体プッシュオンスイッチ２２Ａ，２２Ｂは、図２および図３に示すように、基台部２３の上面の前端部に所定の間隔をあけて配設された二組の固定接点２９Ａ，２９Ｂおよび２９Ｃ，２９Ｄの上に、弾性金属薄板からなるほぼ同一反転ストローク・同一反転動作力のドーム状可動接点３０Ａ，３０Ｂを載せ、その上面を下面に粘着剤を塗布した可撓性フィルム３１Ａ，３１Ｂで覆って、二つの自力復帰型のプッシュオンスイッチ２２Ａ，２２Ｂとして形成したものであり、各単体プッシュオンスイッチ２２Ａ，２２Ｂはそれぞれの固定接点２９Ａ，２９Ｂおよび２９Ｃ，２９Ｄと導通した接続用端子２９Ｅ，２９Ｆおよび２９Ｇ，２９Ｈを基台部２３の前端部に有している。
【００３５】
また、基台部２３の上記単体プッシュオンスイッチ２２Ａ，２２Ｂとは反対側の後端部両側には一対の支持用の長孔３２Ａ，３２Ｂが設けられており、ここに上記四角形の枠体２４の支持軸としての後方の辺３３の両端下部の支軸３３Ａ，３３Ｂが上方からスナップイン結合されて、回動可能で所定の範囲だけ上下動可能に支持されていると共に、四角形の枠体２４の上記後方の辺３３に対向した前方の辺３４の両端部近傍の下面には、図３および図４に示すように、上記二つの単体プッシュオンスイッチ２２Ａ，２２Ｂに対応した二つの押圧用突部３５Ａ，３５Ｂが設けられており、通常状態において、二つの単体プッシュオンスイッチ２２Ａ，２２Ｂのドーム状可動接点３０Ａ，３０Ｂの中央頂点部上に、それぞれ可撓性フィルム３１Ａ，３１Ｂを介して当接している。
【００３６】
なお、上記の基台部２３の二つの長孔３２Ａと３２Ｂとの中間部に固定されたばね体３６は、図４に示すように、上記枠体２４の辺３３の両端下部の支軸３３Ａ，３３Ｂが通常状態において、その上下動可能範囲の下端にあるように、単体プッシュオンスイッチ２２Ａまたは２２Ｂの動作力よりも小さい力で下方に付勢するためのものである。
【００３７】
また、基台部２３の二つの長孔３２Ａ，３２Ｂと上記のばね体３６の中間の後端部に二つずつ設けられた四つの端子２３Ａは、基台部２３すなわちこの回転・押圧操作型電子部品２１を、後述の使用電子機器の配線基板５１上にはんだ付け固定するためのものである。
【００３８】
次に、四角形の枠体２４と円柱状操作つまみ２５について説明すると、図４のＥ−Ｅ線における断面図である図５、および回転型エンコーダ部の分解斜視図である図６に示すように、対向する辺３３，３４の後方の辺３３の両端下部に支軸３３Ａ，３３Ｂを有するコの字形体３７と、その開口部を塞ぐ板状体２６を組み合せて止め金具３８で固定することによって形成された四角形の枠体２４に対して、コの字形体３７の中央の辺３９と板状体２６の孔により回転しないように保持された金属製の軸４０に、円柱状操作つまみ２５が対向する辺３３，３４と平行で回転可能に支持されている。
【００３９】
そして、この円柱状操作つまみ２５の外周面は、その中間部２５Ａが両側の側部２５Ｂ，２５Ｃよりも窪んだ形で細径部となっており、この押圧・回転操作型電子部品を操作する人が容易に中間部２５Ａを下方に押圧操作して、上記の二つの単体プッシュオンスイッチ２２Ａ，２２Ｂを同時に動作させることができるように構成されている。
【００４０】
なお、前記の四角形の枠体２４の後方の辺３３の両端下部の支軸３３Ａ，３３Ｂを支持するために基台部２３の後端部両側に設けられる長孔３２Ａ，３２Ｂの間隔は、この円柱状操作つまみ２５の中間部２５Ａの範囲よりも広い間隔とすることによって、円柱状操作つまみ２５の窪んだ細径部となった中間部２５Ａを押圧操作する際に二つの単体プッシュオンスイッチ２２Ａ，２２Ｂを確実に動作させることができるように配慮されているものである。
【００４１】
さらに、円柱状操作つまみ２５の板状体２６側の端部は中空となっていて、その開口部を塞ぐように回転体４１がはめ込まれており、この回転体４１の外側面には可動接点としての放射状接点板４２が配設されると共に、これに対向する板状体２６から固定接点としてのコモン弾性接点４３Ａと僅かに長さの異なる二つの信号用弾性接点４３Ｂ，４３Ｃが伸ばされて放射状接点板４２に弾接しており、円柱状操作つまみ２５の回転に伴い回転体４１が回転することによって、放射状接点板４２上を三つの弾性固定接点が弾接摺動し、コモン弾性接点４３Ａと二つの信号用弾性接点４３Ｂ，４３Ｃとの間で回転方向に合わせた二種類の電気信号（パルス信号）を発生する回転型エンコーダ部２７を構成している。
【００４２】
また、回転体４１の内側面には、外側面の放射状接点板４２に対応した放射状凹凸部４４が設けられて、この上に軸４０に固定された節度ばね４５の先端のダボ４５Ａが弾接しており、上記の円柱状操作つまみ２５の回転に伴う電気信号の発生に合わせて節度感を発生すると共に、円柱状操作つまみ２５すなわち回転体４１が回転しない時には、節度ばね４５の先端のダボ４５Ａが放射状凹凸部４４の凹部にはまり込んでおり、円柱状操作つまみ２５が誤って回転して誤信号を発生することを防止している。
【００４３】
そして、上記の可動接点である放射状接点板４２と固定接点であるコモン弾性接点４３Ａおよび二つの信号用弾性接点４３Ｂ，４３Ｃの間で発生した電気信号は、各弾性接点と一体の金属薄板で形成された可撓性を有する連結板４６Ａおよび４６Ｂ，４６Ｃを経て、接点ブロック２８の外側端部の接続用端子４７Ａおよび４７Ｂ，４７Ｃに導かれるように構成されている。
【００４４】
ここで、上記の板状体２６と接点ブロック２８の形成方法について説明すると、図７の板状体および接点ブロックの形成方法の説明図において、まず同図（ａ）の打抜き加工後の金属薄板の平面図に示す三つの弾性接点４３Ａ，４３Ｂ，４３Ｃと各連結板４６Ａ，４６Ｂ，４６Ｃおよびその先端に形成された三つの接続用端子４７Ａ，４７Ｂ，４７Ｃとなる部分を打抜き加工した弾性を有する金属薄板４８を、同図に点線で示す接点ブロック２８および板状体２６となる部分の成形加工時にインサート成形加工した後、同図（ｂ）の金属薄板部分の切断および打抜き加工後の断面図に示すように、各弾性接点となる部分を切断・曲げ加工してコモン弾性接点４３Ａおよび二つの信号用接点４３Ｂ，４３Ｃとし、三つの接続用端子４７Ａ，４７Ｂ，４７Ｃも切断・曲げ加工した後、連結板４６Ａ，４６Ｂ，４６Ｃの中間部分でクランク状に折り曲げて、板状体２６と接点ブロック２８をエンコーダ部２７の完成時の形状に合った形状とするものである。
【００４５】
そして、接点ブロック２８は、図２に示すように、四角形の枠体２４を基台部２３の支持用の長孔３２Ａ，３２Ｂに係合支持させる際に、その固定用孔２８Ａに基台部２３上面側部の固定用ダボ２３Ｂを通してカシメることによって、図３〜図５に示すように、接点ブロック２８の下面が基台部２３の下面と同一面となるように固定される。
【００４６】
次に、図８は本実施の形態による回転・押圧操作型電子部品であるプッシュオンスイッチ付回転型エンコーダを使用電子機器に装着する方法を説明する外観斜視図、図９は同回転・押圧操作型電子部品を装着した電子機器の部分断面の側面図、図１０は同部分断面の正面図であり、同図において、４９は電子機器の上ケース、５０は同下ケース、５１は同各種電子部品を装着するための配線基板である。
【００４７】
図８に示すように、本実施の形態によるプッシュオンスイッチ付回転型エンコーダ２１は、その基台部２３の前端部に設けた単体プッシュオンスイッチ２２Ａ，２２Ｂ用の四つの端子２９Ｅ，２９Ｆ，２９Ｇ，２９Ｈおよび後端部に設けた四つの端子２３Ａを使用電子機器の配線基板５１上の四つずつのはんだ付け用ランド部５２Ａ，５２Ｂに、また接点ブロック２８下面の三つの接続用端子４７Ａ，４７Ｂ，４７Ｃをはんだ付け用ランド部５２Ｃに、それぞれはんだ付けすることによって配線基板５１に取付け接続され、この配線基板５１を上ケース４９と下ケース５０の間に挟み込むように固定することにより、使用電子機器に装着されるものである。
【００４８】
なお、配線基板５１を使用電子機器の上ケース４９と下ケース５０の間に挟み込み固定する際に、電子機器の上ケース４９の下面に突出した二つの長い円錐形のボス４９Ａを、本実施の形態によるプッシュオンスイッチ付回転型エンコーダ２１の基台部２３の二つの丸孔２３Ｃにそれぞれ挿入することによって、電子機器の上ケース４９とプッシュオンスイッチ付回転型エンコーダ２１を正確な位置に組み合せることができ、上ケース４９の開口部に対する円柱状操作つまみ２５の位置も正確に決まるので、安定した正確な操作ができると共に、使用電子機器の外観もよくすることができるものである。
【００４９】
また、図９および図１０に示すように、本実施の形態によるプッシュオンスイッチ付回転型エンコーダ２１を電子機器に装着した状態において、円柱状操作つまみ２５はその円柱形状の上側半分が電子機器の上ケース４９から突出していると共に、その両端部を電子機器の上ケース４９と一体に形成した半球形のカバー部５３で覆われている。
【００５０】
これにより、円柱状操作つまみ２５の操作性がよくなると共に、電子機器の上ケース４９の高さ寸法を小さくすることができ、また、円柱状操作つまみ２５の端部から電子機器内への塵埃等の侵入を防ぐこともでき、さらに電子機器の操作面である上ケース４９の上面の見栄えもよいものとなっている。
【００５１】
本実施の形態によるプッシュオンスイッチ付回転型エンコーダは以上のように構成されるものであり、次にその動作について説明する。
【００５２】
まず、図９および図１０の本実施の形態によるプッシュオンスイッチ付回転型エンコーダを装着した電子機器の部分断面図において、電子機器の上ケース４９上面の操作面から突出した円柱状操作つまみ２５の外周の窪んだ細径部となった中間部２５Ａの上端部分に接線方向（図９に示す矢印Ｈ方向）の力を加えて回転させることによって、この円柱状操作つまみ２５の端部に結合されている回転体４１が回転し（図５の断面図参照）、その外側面に配設された放射状接点板４２上を四角形の枠体２４の板状体２６から伸ばされたコモン弾性接点４３Ａと二つの信号用弾性接点４３Ｂ，４３Ｃが弾接摺動して、円柱状操作つまみ２５の回転方向に合わせた回転型エンコーダ部２７としての電気信号（パルス信号）を発生すると共に、回転体４１の内側面の放射状凹凸部４４上を軸４０に固定された節度ばね４５先端のダボ４５Ａが弾接摺動して、電気信号の発生に合わせた節度感を発生し、円柱状操作つまみ２５の回転が止まると放射状凹凸部４４の凹部内にはまり込んで停止する。
【００５３】
そして、発生した電気信号は、各弾性接点４３Ａ，４３Ｂ，４３Ｃから各連結板４６Ａ，４６Ｂ，４６Ｃおよび接点ブロック２８の各接続用端子４７Ａ，４７Ｂ，４７Ｃを経由して、電子機器の配線基板５１のはんだ付け用ランド部５２Ｃに伝えられて電子機器の回路に伝達される。
【００５４】
なお、この円柱状操作つまみ２５の外周の上端部分に接線方向の力を加えて回転型エンコーダ部２７を動作させる際に、円柱状操作つまみ２５に接線方向の力を加える位置は、必ずしも円柱状操作つまみ２５の外周の中間部２５Ａの上端部分である必要はなく、左または右方向へ偏った位置でもよいが、中間部２５Ａであると接線方向の力を加える際に誤って円柱状操作つまみ２５を押してしまうことを最も少なくできる。
【００５５】
次に、図９と図１０、および本実施の形態によるプッシュオンスイッチ付回転型エンコーダの上面図である図１１において、電子機器の上ケース４９上面の操作面から突出した円柱状操作つまみ２５の外周の一方の側部２５Ｂの上端部分に矢印Ｖ１方向（図１０および図１２の本実施の形態によるプッシュオンスイッチ付回転型エンコーダの動作状態を示す正面図、参照）の押圧力を加えると、その押圧力により円柱状操作つまみ２５を保持した四角形の枠体２４が支軸３３Ａ，３３Ｂの回動により揺動し、その辺３４下面の押圧用突部３５Ａ，３５Ｂが基台部２３上の二つの単体プッシュオンスイッチ２２Ａ，２２Ｂを押して動作させようとするが、矢印Ｖ１方向への押圧力は二つの単体プッシュオンスイッチ２２Ａ，２２Ｂのうち、押圧位置である円柱状操作つまみ２５の外周の一端部２５Ｂに近い単体プッシュオンスイッチ２２Ａに大きく作用するために、この単体プッシュオンスイッチ２２Ａのドーム状可動接点３０Ａが押し下げられて下方に撓むと共に、四角形の枠体２４は一方の支軸３３Ａと他方の単体プッシュオンスイッチ２２Ｂを結ぶ線を支軸として傾き、押圧力が大きくなるとドーム状可動接点３０Ａは反転動作して、図１２に示すように、固定接点２９Ａと２９Ｂの間を短絡して単体プッシュオンスイッチ２２Ａをオン状態とする。
【００５６】
この時、四角形の枠体２４は、ばね体３６の付勢力に抗してその片方の支軸３３Ｂがその支持用の長孔３２Ｂ内で上方に動くが、その動きは単体プッシュオンスイッチ２２Ａの動作ストロークにほぼ等しい。
【００５７】
そして、円柱状操作つまみ２５の外周の一方の側部２５Ｂの上端部分に加える押圧力を除くと、単体プッシュオンスイッチ２２Ａのドーム状可動接点３０Ａは自身の弾性復元力によって元のドーム形状に戻り、固定接点２９Ａと２９Ｂの間は元のオフ状態になると共に、四角形の枠体２４およびこれに保持された円柱状操作つまみ２５も元の図９に示す通常の位置に戻る。
【００５８】
このように、円柱状操作つまみ２５の一方の側部２５Ｂの上端部分を押圧操作すると、左の単体プッシュオンスイッチ２２Ａを動作させることができる。
【００５９】
同様にして、円柱状操作つまみ２５の他方の側部２５Ｃの上端部分を押圧操作することにより、右側の単体プッシュオンスイッチ２２Ｂを動作させることができる。
【００６０】
次に、円柱状操作つまみ２５の外周の窪んで細径となった中間部２５Ａの上端部分に矢印Ｖ２方向（図９および図１３の本実施の形態による回転・押圧操作型電子部品の動作状態を示す正面図、参照）の押圧力を加えると、その押圧力により円柱状操作つまみ２５を保持した四角形の枠体２４が支軸３３Ａ，３３Ｂの回動により揺動して、その辺３４下面の押圧用突部３５Ａ，３５Ｂが基台部２３上の二つの単体プッシュオンスイッチ２２Ａ，２２Ｂを押して動作させようとするが、矢印Ｖ２方向への押圧力は二つの単体プッシュオンスイッチ２２Ａ，２２Ｂにほぼ均等に作用するため、二つの単体プッシュオンスイッチ２２Ａ，２２Ｂのドーム状可動接点３０Ａおよび３０Ｂがほぼ同時に撓むと共に、四角形の枠体２４は二つの支軸３３Ａ，３３Ｂを結ぶ中心線を回動軸として回動し、押圧力が大きくなると二つのドーム状可動接点３０Ａ，３０Ｂがほぼ同時に反転動作して、図１３に示すように、それぞれの固定接点２９Ａと２９Ｂの間および２９Ｃと２９Ｄの間を短絡して単体プッシュオンスイッチ２２Ａおよび２２Ｂを共にオン状態とする。
【００６１】
この時、四角形の枠体２４の支軸３３Ａ，３３Ｂは共にばね体３６の付勢力により支持用の長孔３２Ａ，３２Ｂ内の下端に押し付けられた状態で回動する。
【００６２】
そして、円柱状操作つまみ２５の細径の中間部２５Ａの上端部分に加える押圧力を除くと、単体プッシュオンスイッチ２２Ａおよび２２Ｂのドーム状可動接点３０Ａおよび３０Ｂが自身の弾性復元力によって元のドーム形状に戻り、各単体プッシュオンスイッチ２２Ａ，２２Ｂはいずれもオフの状態になると共に、四角形の枠体２４およびこれに保持された円柱状操作つまみ２５も元の図９に示す通常の状態に戻る。
【００６３】
従って、この二つの単体プッシュオンスイッチ２２Ａ，２２Ｂを使用する電子機器において、二つの単体プッシュオンスイッチ２２Ａ，２２Ｂが共にオン状態となる時に、そのオンになるタイミングが一定の時間内であれば、どちらの単体プッシュオンスイッチ２２Ａまたは２２Ｂがオン状態になった時の電気信号とも異なる他の電気信号として処理するための時間測定手段を用いたスイッチング認識手段を設けておくと、円柱状操作つまみ２５の押圧操作により三種類の電気信号による操作ができる電子機器とすることができるものである。
【００６４】
そして、この円柱状操作つまみ２５の押圧操作時において、回転型エンコーダ部２７の回転体４１はその内側面の放射状凹凸部４４の凹部内に節度ばね４５先端のダボ４５Ａがはまり込んでいるため回転せず、その接点部で誤信号を発生することはなく、また、この操作つまみ２５の押圧操作時の四角形の枠体２４の揺動に伴う回転型エンコーダ部２７の動きは、板状体２６から導出された可撓性を有する連結板４６Ａ，４６Ｂ，４６Ｃが撓むことにより吸収するので、接点ブロック２８には伝わらない。
【００６５】
以上のように本実施の形態によれば、一つの円柱状操作つまみ２５を回転操作する方向により二種類の電気信号を、また押圧操作する位置を変えることによって三種類の電気信号をそれぞれ発生するので、一つの操作つまみにより合わせて五種類の電気信号による操作を簡単かつ迅速にできる、操作性の優れた回転・押圧操作型電子部品を実現できるものである。
【００６６】
なお、上記の説明では、回転操作部品部が円柱状操作つまみ２５の回転方向により異なる電気信号を発生する回転型エンコーダ部２７である場合について述べたが、これは円柱状操作つまみ２５を所定の角度だけ回動させると回動させた方向の接点が動作する回動型スイッチであっても、上記の内容が適用できることは勿論である。
【００６７】
また、基台部２３の上面に配設された固定接点２９Ａ，２９Ｂおよび２９Ｃ，２９Ｄの上にドーム状可動接点３０Ａおよび３０Ｂを載せて単体プッシュオンスイッチ２２Ａ，２２Ｂを形成する場合について説明したが、これはあらかじめ完成された二つの単体プッシュオンスイッチを基台部２３の上に配設してもよく、さらにその単体プッシュオンスイッチが一回路タイプでなく、二回路タイプ等の多回路のプッシュオンスイッチであると、より多くの回路を接・断操作して多くの電気信号を発生することができることはいうまでもない。
【００６８】
（実施の形態２）
図１４は本発明の第２の実施の形態による回転・押圧操作型電子部品としてのプッシュオンスイッチ付回転型エンコーダの正面断面図であり、上記の第１の実施の形態によるプッシュオンスイッチ付回転型エンコーダ２１に対して、このプッシュオンスイッチ付回転型エンコーダ５４を操作する人が円柱状操作つまみ５５に手や指を触れた際に発生する静電気に対する対策としてアース板５８を配した点と、同図に二点鎖線で示す円柱状操作つまみ５５が軸５６に直接支持されない構成として、使用電子機器の配線基板５１に装着した後に円柱状操作つまみ５５を組み込むことができるようにした点が異なっており、これ以外は上記第１の実施の形態による回転・押圧操作型電子部品２１と同じ構成であるため、第１の実施の形態によるものと同一の部品には同一符号を付して説明を省略し、異なる点について詳細に説明する。
【００６９】
まず、アース板５８は、円柱状操作つまみ５５の上側半分の外周部に隣接する板状体５７の上端部を含む外周端部に露出するように、インサート成形されて配設されており、回転型エンコーダ部２７の活電部材である可動接点部（放射状接点板４２）や固定接点部（コモン弾性接点４３Ａおよび信号用弾性接点４３Ｂ，４３Ｃ）よりも円柱状操作つまみ５５の外周に近く配されている。
【００７０】
そして、このアース板５８は上記の固定接点部と同様に、アース板５８と一体の金属薄板６３で形成された可撓性を有する連結板４６Ｄを経て接点ブロック５９の外側端部の接続用端子４７Ｄに導かれて電子機器のアース回路に接続されるように構成されている。
【００７１】
一方、図１４に二点鎖線で示す円柱状操作つまみ５５は、板状体５７側の端部が中空となっていて、その開口部５５Ｄを塞ぐように回転体４１がはめ込まれて結合していることは第１の実施の形態の場合と同様であるが、コの字形体６０の中央の辺６１側の端部は塞がれて、その中心に円形軸部６２が突出しており、上記中央の辺６１の中央上部に設けられた上部開口の軸受孔６１Ａに回転可能に保持されている。
【００７２】
そして、円柱状操作つまみ５５の外周面の中間部５５Ａが両側の側部５５Ｂ，５５Ｃよりも窪んだ形の細径部となっていることは、第１の実施の形態の場合と同様である。
【００７３】
そして、上記のアース板５８付の板状体５７を形成する方法は、図１５の板状体および接点ブロックの形成方法の説明図において、まず同図（ａ）の打抜き加工後の金属薄板の平面図に示すように、三つの弾性接点４３Ａ，４３Ｂ，４３Ｃと各連結板４６Ａ，４６Ｂ，４６Ｃおよび三つの接続用端子４７Ａ，４７Ｂ，４７Ｃとなる部分と共に、アース板５８、連結板４６Ｄおよび接続用端子４７Ｄとなる部分を打抜き加工した弾性を有する金属薄板６３を、同図に点線で示す接点ブロック５９および板状体５７となる部分の成形加工時にインサート成形加工した後、同図（ｂ）の金属薄板部分の切断および曲げ加工後の断面図に示すように、各弾性接点４３Ａ，４３Ｂ，４３Ｃとなる部分を切断・曲げ加工し、さらに連結板４６Ａ，４６Ｂ，４６Ｃ，４６Ｄの中間部分でクランク状に折り曲げて、板状体５７と接点ブロック５９をエンコーダ部６４の完成時の形状に合った形状とすることは第１の実施の形態の場合と同様である。
【００７４】
以上のように形成された板状体５７および接点ブロック５９を四角形の枠体６５の一端に構成される回転型エンコーダ部６４に組み込む方法は第１の実施の形態の場合と同様であるが、回転型エンコーダ部の分解斜視図である図１６に示すように、板状体５７とコの字形体３７を組み合わせて止め金具３８で固定することによって形成された四角形の枠体６５の板状体５７と止め金具３８の孔により回転しないように保持される軸５６は短い寸法であり、円柱状操作つまみ５５はこの段階では装着されない。
【００７５】
そして、本実施の形態によるプッシュオンスイッチ付回転型エンコーダ５４は、図１７の同プッシュオンスイッチ付回転型エンコーダを電子機器の配線基板に装着した状態の正面断面図に示すように、円柱状操作つまみ５５を組み込まない状態で使用電子機器の配線基板５１にはんだ付け接続される。
【００７６】
この後、円柱状操作つまみ５５を装着するのであるが、同図に示すようにまず、円柱状操作つまみ５５を斜めにして、その中空となった側の端部の開口部５５Ｄ内に軸５６に回転可能に支持された回転体４１をはめ込むようにして、回転体４１の外周を開口部５５Ｄの内周に結合させた状態で、円柱状操作つまみ５５の反対側の端部中心の円形軸部６２を、コの字形体６０の中央の辺６１の中央上部に設けられた上部開口で入口が細幅部６１Ｂとなった軸受孔６１Ａに上方から押込んでスナップイン結合させ、回転可能に保持させるものである。
【００７７】
そして、本実施の形態によるプッシュオンスイッチ付回転型エンコーダ５４を装着した使用電子機器の配線基板５１を上ケース４９と下ケース５０の間に挟み込んで電子機器に装着する方法、および装着された本実施の形態による回転・押圧操作型電子部品５４の動作は、実施の形態１の場合と同様であるのでその説明を省略する。
【００７８】
以上のように本実施の形態によれば、本回転・押圧操作型電子部品５４を使用電子機器に装着した状態において、操作部として外部に露出する部分である円柱状操作つまみ５５の中間部５５Ａの上端部分に触れて操作する際に静電気が発生しても、その静電気は円柱状操作つまみ５５の表面に最も近い導電部であるアース板５８の露出部に放電し、連結板４６Ｄおよび接続用端子４７Ｄから電子機器のアース回路に流れ、回転型エンコーダ部や電子機器の回路に流入することがないと共に、回転型エンコーダ部を使用電子機器の配線基板５１にはんだ付け装着した後に円柱状操作つまみ５５を装着することができるので、円柱状操作つまみ５５が、回転型エンコーダ部２７の組立時や取扱い時に汚れたり傷が付いたりする可能性を少なくすることができ、特に使用電子機器の配線基板５１にはんだ付け接続する際の熱の影響やはんだフラックスの飛散による円柱状操作つまみ５５の変色や汚れを防止することができるものである。
【００７９】
なお、本実施の形態による回転・押圧操作型電子部品においても、基台部２３の上面で単体プッシュオンスイッチを形成しないで、あらかじめ完成された単体プッシュオンスイッチを基台部２３の上に配設してもよく、また単体プッシュオンスイッチが多回路のプッシュオンスイッチであるとさらに多くの電気信号を発生することができることは実施の形態１の場合と同様である。
【００８０】
（実施の形態３）
図１８は本発明の第１の実施の形態による回転・押圧操作型電子部品であるプッシュオンスイッチ付回転型エンコーダを装着した、本発明の第３の実施の形態による電子機器としての携帯電話装置の外観斜視図である。
【００８１】
同図に示すように、携帯電話装置６６の上面の操作面６６Ａには、液晶表示部１７とテンキー６７の間に、前記実施の形態１において説明したプッシュオンスイッチ２１の円柱状操作つまみ２５の円柱形状の上半分が突出するように配設されている。
【００８２】
そして、この携帯電話装置６６の使用方法について説明すると、携帯電話装置６６の使用開始時にその操作面６６Ａの液晶表示部１７に複数の機能項目メニューが所定の配列関係で表示された状態において、まず操作面６６Ａから突出した円柱状操作つまみ２５の外周の窪んで細径となった中間部２５Ａの上端部分に接点方向の力を加え、前方側または手前側に回転させることにより回転型エンコーダ部２７から発せられた信号により、表示画面（図示せず）中の機能項目メニューを希望する項目のある行まで前後方向に移動させ、次に円柱状操作つまみ２５の左方側部２５Ｂまたは右方側部２５Ｃの上端部分を押圧操作して単体プッシュオンスイッチ２２Ａまたは２２Ｂを動作させることにより、表示画面（図示せず）中の機能項目メニューを目的とする項目のある列まで左右方向に移動させて目的の項目を選択し、たとえば「発信」の位置で、今度は円柱状操作つまみ２５の中間部２５Ａの上端部分を押圧操作して二つの単体プッシュオンスイッチ２２Ａ，２２Ｂをほぼ同時に動作させて決定し、次に液晶表示部１７には複数の発信相手先のメニューが所定の配列順序で表示され、再び円柱状操作つまみ２５の中間部２５Ａの上端部分に接線方向の力を加えて前方側または手前側に回転させることにより、発信相手先メニューを希望する相手先の位置まで前後方向に移動させて選択し、目的とする相手先の位置で、再び円柱状操作つまみ２５の中間部２５Ａの上端部分を押圧操作して決定し、この後、相手先に対して発呼信号を送るものである。
【００８３】
なお、上記のプッシュオンスイッチ付回転型エンコーダ２１の操作において、円柱状操作つまみ２５の外周の窪んで細径となった中間部２５Ａの上端部分を押圧操作して、二つの単体プッシュオンスイッチ２２Ａおよび２２Ｂが共にオン状態になる時には、そのオンになるタイミングが一定の時間内であれば、どちらの単体プッシュオンスイッチ２２Ａまたは２２Ｂがオン状態になった時の電気信号とも異なる他の電気信号として処理するための時間測定手段を用いたスイッチング認識手段を用いて、電気信号を出力するものである。
【００８４】
以上のように本実施の形態によれば、一つの操作つまみである円柱状操作つまみ２５の上面の操作する位置を変えるだけで、複数の選択項目を有するメニューの中から希望する選択項目を簡単かつ迅速に決定することができる操作性の優れた電子機器としての携帯電話装置を提供することができる。
【００８５】
【発明の効果】
以上のように本発明によれば、複数の選択項目を有するメニューの中から所定の選択項目を選択して使用する電子機器に使用されて、希望する項目を簡単かつ迅速に選択・決定することができる操作性の優れた電子部品としての回転・押圧操作型電子部品を実現することができるという有利な効果が得られる。
【図面の簡単な説明】
【図１】  本発明の第１の実施の形態による回転・押圧操作型電子部品としてのプッシュオンスイッチ付回転型エンコーダの外観斜視図
【図２】  同分解斜視図
【図３】  同部分断面の正面図
【図４】  同部分断面の側面図
【図５】  図４のＥ−Ｅ線における断面図
【図６】  同回転型エンコーダ部の分解斜視図
【図７】  同板状体および接点ブロックの形成方法の説明図
【図８】  同プッシュオンスイッチ付回転型エンコーダを使用電子機器に装着する方法を説明する外観斜視図
【図９】  同プッシュオンスイッチ付回転型エンコーダを装着した電子機器の部分断面の側面図
【図１０】  同部分断面の正面図
【図１１】  同プッシュオンスイッチ付回転型エンコーダの上面図
【図１２】  同円柱状操作つまみの外周の一方の側部上面を押圧操作する場合の動作状態を説明する部分断面の正面図
【図１３】  同円柱状操作つまみの外周の中間部上面を押圧操作する場合の動作状態を説明する部分断面の正面図
【図１４】  本発明の第２の実施の形態による回転・押圧操作型電子部品としてのプッシュオンスイッチ付回転型エンコーダの正面断面図
【図１５】  同板状体および接点ブロックの形成方法の説明図
【図１６】  同回転型エンコーダ部の分解斜視図
【図１７】  同プッシュオンスイッチ付回転型エンコーダを電子機器の配線基板に装着した状態の正面断面図
【図１８】  本発明の第３の実施の形態による電子機器としての携帯電話装置の外観斜視図
【図１９】  従来の回転・押圧操作型電子部品としてのプッシュオンスイッチ付回転型エンコーダの外観斜視図
【図２０】  同側面断面図
【図２１】  同プッシュオンスイッチ付回転型エンコーダを使用した携帯電話装置の外観斜視図
【図２２】  二回路プッシュオンスイッチの部分断面の正面図
【符号の説明】
２１，５４  プッシュオンスイッチ付回転型エンコーダ
２２Ａ，２２Ｂ  単体プッシュオンスイッチ
２３  基台部
２３Ａ  端子
２３Ｂ  固定用ダボ
２３Ｃ  丸孔
２４，６５  枠体
２５，５５  円柱状操作つまみ
２５Ａ  中間部
２５Ｂ，２５Ｃ  側部
２６  板状体
２７，６４  回転型エンコーダ部
２８，５９  接点ブロック
２８Ａ  固定用孔
２９Ａ，２９Ｂ，２９Ｃ，２９Ｄ  固定接点
２９Ｅ，２９Ｆ，２９Ｇ，２９Ｈ  接続用端子
３０Ａ，３０Ｂ  ドーム状可動接点
３１Ａ，３１Ｂ  可撓性フィルム
３２Ａ，３２Ｂ  長孔
３３，３４，３９，６１  辺
３３Ａ，３３Ｂ  支軸
３５Ａ，３５Ｂ  押圧用突部
３６  ばね体
３７，６０  コの字形体
３８  止め金具
４０，５６  軸
４１  回転体
４２  放射状接点板
４３Ａ  コモン弾性接点
４３Ｂ，４３Ｃ  信号用弾性接点
４４  放射状凹凸部
４５  節度ばね
４５Ａ  ダボ
４６Ａ，４６Ｂ，４６Ｃ，４６Ｄ  連結板
４７Ａ，４７Ｂ，４７Ｃ，４７Ｄ  接続用端子
４８，６３  金属薄板
４９  上ケース
４９Ａ  ボス
５０  下ケース
５１  配線基板
５２Ａ，５２Ｂ，５２Ｃ  はんだ付け用ランド部
５３  カバー部
５８  アース板
６１Ａ  軸受孔
６１Ｂ  細幅部
６２  円形軸部
【図１】
0003951485.tif 000002
【図２】
0003951485.tif 000003
【図３】
0003951485.tif 000004
【図４】
0003951485.tif 000005
【図５】
0003951485.tif 000006
【図６】
0003951485.tif 000007
【図７】
0003951485.tif 000008
【図８】
0003951485.tif 000009
【図９】
0003951485.tif 000010
【図１０】
0003951485.tif 000011
【図１１】
0003951485.tif 000012
【図１２】
0003951485.tif 000013
【図１３】
0003951485.tif 000014
【図１４】
0003951485.tif 000015
【図１５】
0003951485.tif 000016
【図１６】
0003951485.tif 000017
【図１７】
0003951485.tif 000018
【図１８】
0003951485.tif 000019
【図１９】
0003951485.tif 000020
【図２０】
0003951485.tif 000021
【図２１】
0003951485.tif 000022
【図２２】
0003951485.tif 000023